(57)【要約】【課題】レンズと撮像素子の位置決めが容易で部品点数も少ないカメラモジュールを提供する。【解決手段】筒状のホルダ２に納められたレンズ３と、レンズ３に対し所定距離の位置に配置される撮像素子４とを有し、撮像素子４は基板１上に配置され、ホルダ２は基板１上に固着されると共に、撮像素子４上方に開口部１２が形成された天板１１と、撮像素子４方向に突出形成された突起体１３とを一体的に有し、レンズ３は天板１１の下面に当接するようにホルダ２に対して固定され、ホルダ２の突起体１３の下面が撮像素子４の上面に当接した状態で撮像素子４がレンズ３に対し所定距離の位置に配置される。【選択図】図２
2007147729.tif 000002
【特許請求の範囲】
【請求項１】
筒状のホルダに納められたレンズと、該レンズに対し所定距離の位置に配置される撮像素子とを有するカメラモジュールにおいて、
前記撮像素子は基板上に配置され、前記ホルダは前記基板上に固着されると共に、前記撮像素子上方に開口部が形成された天板と、前記撮像素子方向に突出形成された突起体とを一体的に有し、前記レンズは前記天板の下面に当接するように前記ホルダに対して固定され、
前記ホルダの突起体の下面が前記撮像素子の上面に当接した状態で前記撮像素子が前記レンズに対し所定距離の位置に配置されることを特徴とするカメラモジュール。
【請求項２】
前記ホルダの天板に形成された開口部は光学絞りをなすことを特徴とする請求項１記載のカメラモジュール。
【請求項３】
前記ホルダは前記突起体より外周側に該突起体より下方まで延びる外周縁部を有し、該外周縁部の下面は前記基板の上面に対して僅かな隙間を介して対向すると共に、前記基板の上面に対して接着により固着されることを特徴とする請求項１または２記載のカメラモジュール。
【請求項４】
前記レンズはその外周面が前記ホルダの内周面に当接し接着固定されてなることを特徴とする請求項１〜３のいずれか１項に記載のカメラモジュール。
【発明の詳細な説明】
【技術分野】
【０００１】
本発明は、レンズと撮像素子とを有してなるカメラモジュールに関し、特にレンズをホルダに固定することによりレンズと撮像素子間の位置合わせをなすことができるカメラモジュールに関する。
【背景技術】
【０００２】
携帯電話等の小型電子機器に設けられるカメラモジュールは、少なくともレンズとそれを保持する鏡筒と、レンズにより集光された光を電気信号に変換する撮像素子とを有して構成される。ここで、レンズと撮像素子との距離は、撮像素子において良好な画像を得るために重要であり、このため鏡筒の本体部に対する取付位置は個別的に調整がなされる。例えば特許文献１に示すように、本体部の内周面と鏡筒の外周面にはそれぞれネジ山を形成し、ネジ回転によって鏡筒を本体部に対して挿入することで、鏡筒内のレンズと撮像素子との距離を適切に調整することができる。
【特許文献１】米国特許第６４８３１０１号公報
【発明の開示】
【発明が解決しようとする課題】
【０００３】
しかし、従来のカメラモジュールにおいては、ネジ回転による鏡筒の調整工程が必要であったため、製造工程が多くなってコストの上昇を招いていた。また、鏡筒と本体部が別々であるために部品数も多く必要で、これもコスト上昇の要因となっていた。
【０００４】
本発明は上記課題を鑑みてなされたものであり、レンズと撮像素子の位置決めが容易で部品点数も少ないカメラモジュールを提供することを目的とする。
【課題を解決するための手段】
【０００５】
上記課題を解決するため、本発明に係るカメラモジュールは、筒状のホルダに納められたレンズと、該レンズに対し所定距離の位置に配置される撮像素子とを有するカメラモジュールにおいて、
前記撮像素子は基板上に配置され、前記ホルダは前記基板上に固着されると共に、前記撮像素子上方に開口部が形成された天板と、前記撮像素子方向に突出形成された突起体とを一体的に有し、前記レンズは前記天板の下面に当接するように前記ホルダに対して固定され、
前記ホルダの突起体の下面が前記撮像素子の上面に当接した状態で前記撮像素子が前記レンズに対し所定距離の位置に配置されることを特徴として構成されている。
【０００６】
また、本発明に係るカメラモジュールは、前記ホルダの天板に形成された開口部は光学絞りをなすことを特徴として構成されている。
【０００７】
さらに、本発明に係るカメラモジュールは、前記ホルダは前記突起体より外周側に該突起体より下方まで延びる外周縁部を有し、該外周縁部の下面は前記基板の上面に対して僅かな隙間を介して対向すると共に、前記基板の上面に対して接着により固着されることを特徴として構成されている。
【０００８】
さらにまた、本発明に係るカメラモジュールは、前記レンズはその外周面が前記ホルダの内周面に当接し接着固定されてなることを特徴として構成されている。
【発明の効果】
【０００９】
本発明に係るカメラモジュールによれば、撮像素子は基板上に配置され、ホルダは基板上に固着され、撮像素子上方に開口部が形成された天板と、撮像素子方向に突出形成された突起体とを一体的に有し、レンズは天板の下面に当接するようにホルダに対して固定され、ホルダの突起体の下面が撮像素子の上面に当接した状態で撮像素子がレンズに対し所定距離の位置に配置されることにより、基板に対してホルダを固着するだけで特別な調整を行うことなくカメラモジュールを製造することができるので、コストを低減することができる。
【００１０】
また、本発明に係るカメラモジュールによれば、ホルダの天板に形成された開口部は光学絞りをなすことにより、絞りのための部品を別途設ける必要がないので、部品点数を減らしてコストを低減することができる。
【００１１】
さらに、本発明に係るカメラモジュールによれば、ホルダは突起体より外周側に突起体より下方まで延びる外周縁部を有し、外周縁部の下面は基板の上面に対して僅かな隙間を介して対向し、基板の上面に対して接着により固着されることにより、ホルダと基板の位置関係を突起体により設定しつつ、ホルダと基板を確実に固着することができる。
【００１２】
さらにまた、本発明に係るカメラモジュールによれば、レンズはその外周面がホルダの内周面に当接し接着固定されてなることにより、接着によりレンズの上下方向位置が影響されないので、レンズと撮像素子の位置関係を正確なものとすることができる。
【発明を実施するための最良の形態】
【００１３】
本発明の実施形態について、図面に沿って詳細に説明する。図１には本実施形態におけるカメラモジュールの斜視図を、図２にはカメラモジュールの断面図を、それぞれ示している。図１に示すように、本実施形態におけるカメラモジュールは、基板１上にホルダ２が配置されてなるものであって、ホルダ２は全体が一体的に形成されてなるものである。また、ホルダ２の上面には開口部１２があって、その内方にはレンズ３が設けられている。レンズ３の表面には、赤外線を遮断するためのフィルタとして機能する膜が形成されている。
【００１４】
図２に示すように、基板１の上面１ａには撮像素子４が配置される。撮像素子４は、平面上に光電変換素子を多数集積してなるものであり、レンズ３により集光された光を画像データとして出力する。撮像素子４は、基板１よりも一回り小さく形成され、基板１の上面１ａの周縁部分に撮像素子４がかからないように配置している。
【００１５】
ホルダ２は、全体としては内部が中空状の筒状に形成され、レンズ３を内部に納める鏡筒部１０を有している。鏡筒部１０の内周面１０ａには、レンズ３の外周面３ａが当接すると共に、接着により固定されている。
【００１６】
鏡筒部１０の上部には、天板部１１が形成されている。天板部１１の中央部であって撮像素子４上方に位置する部分に、開口部１２が形成されており、ここからレンズ３及び撮像素子４に対し撮影対象からの光が入射する。すなわち、開口部１２はレンズ３の絞りとして機能する。レンズ３は、その周縁上面３ｂが天板部１１の下面１１ａに当接するようにして、外周面３ａが鏡筒部１０の内周面１０ａに対して接着固定されている。このようにレンズ３の上下方向位置に影響を及ぼすレンズ上面ではなく、外周面３ａにおいて接着固定するようにしたことで、レンズ３の位置をより正確に設定することができる。
【００１７】
ホルダ２の下部には、内周面側に撮像素子４方向に突出する突起部１３が一体的に形成されている。また、突起部１３より外周面側には基板１方向に突起部１３より下方まで突出する外周縁部１４が一体的に形成されている。突起部１３の下面１３ａは、撮像素子４の上面４ａに当接し、外周縁部１４の下面１４ａは基板１の上面１ａと僅かな隙間を介して対向する。また、外周縁部１４の下面１４ａと基板１の上面１ａとの間には、接着剤が設けられてこれによりホルダ２が基板１に固着される。
【００１８】
内部にレンズ３を納めたホルダ２の突起部１３の下面１３ａを撮像素子４の上面４ａに当接させた状態で、レンズ３と撮像素子４との距離が適切なものとなるように、ホルダ２の寸法、特に天板部１１の下面１１ａと突起部１３の下面１３ａとの距離が設定されている。これにより、レンズ３をホルダ２に納めて、ホルダ２の突起部１３を撮像素子４の上面４ａに当接するように基板１に対して固定することで、調整等の工程を行うことなく、レンズ３と撮像素子４の間の距離を正確に設定することができる。ここで、レンズ３と撮像素子４の間の距離は、レンズ３が集光した光を撮像素子４の上面４ａにおいて最良に結像するフォーカシング距離としている。すなわち、レンズ３と撮像素子４の間の距離は、レンズ３の焦点距離からレンズ３の厚さの１／２の距離を減じたものである。
【００１９】
また、ホルダ２にはレンズ３を納める鏡筒部１０と、絞りとして機能する開口部１２を有する天板部１１、及び撮像素子４に対する位置決めをなすための突起部１３が一体的に形成され、これらが一部品により構成されているので、レンズ３を納めたホルダ２を撮像素子４が配置された基板１に固定するだけで、絞りとレンズ３及び撮像素子４が適切に配置されたカメラモジュールを構成することができ、製造工程を簡易にしてコストダウンを図ることができる。
【００２０】
以上、本発明の実施形態について説明したが、本発明の適用はこれら実施形態に限られるものではなく、その技術的思想の範囲内において様々に適用されうるものである。
【図面の簡単な説明】
【００２１】
【図１】本実施形態におけるカメラモジュールの斜視図である。
【図２】本実施形態におけるカメラモジュールの断面図である。
【符号の説明】
【００２２】
１    基板
２    ホルダ
３    レンズ
４    撮像素子
１０    鏡筒部
１１    天板部
１２    開口部
１３    突起部
１４    外周縁部
【図１】
2007147729.tif 000003
【図２】
2007147729.tif 000004